(57)【要約】【課題】便器に設けられ、洗浄水の噴出の強弱の変化パターンを著しく多種多様なものとすることができ、また音楽のリズム等を臀部への刺激を通して体感しうる温水洗浄装置を提供する。【解決手段】肛門音楽洗浄用操作スイッチ１４ｂを操作すると、操作信号及び音量信号が制御部２０に送信される。制御部２０は洗浄ノズル切替弁２１を切り替えると共に、音源手段３０ｓに音量信号を送信して音楽出力手段３０ａを作動させる。音源手段３０ｓの出力レベルを出力レベル検出手段３０ｂが検出し、この出力レベル信号を制御部２０に送信する。この出力レベル信号と制御部２０がポンプ２２に送信し、ポンプ２２の回転数を変化させる。【選択図】図３
2005171680.tif 000002
【特許請求の範囲】
【請求項１】
洗浄ノズルから温水を噴出して人体の臀部を洗浄する温水洗浄装置において、
音楽を出力する音楽出力手段と、
音楽出力手段からの音楽の出力レベルを検出する出力レベル検出手段と、
洗浄ノズルからの洗浄水の噴出強さを調整する洗浄強さ調整手段とを有しており、
出力レベル検出手段によって検出された出力レベルに合わせて洗浄ノズルからの洗浄水の噴出強さを調整する音楽洗浄モードを備えたことを特徴とする温水洗浄装置。
【請求項２】
請求項１において、前記音楽洗浄モードと通常洗浄モードとの切替手段を備えたことを特徴とする温水洗浄装置。
【発明の詳細な説明】
【技術分野】
【０００１】
本発明は、便器に設けられ、人体の臀部を洗浄する温水洗浄装置に関する。
【背景技術】
【０００２】
便器使用者の臀部に向って温水を噴出させて該臀部を洗浄する温水洗浄装置として、特開２００３−１６０９６４号公報に、所定の時間間隔で噴出水量を切り替えると共に前記時間間隔を自動的に変化させるモード制御部を備えたものが記載されている。この温水洗浄装置にあっては、例えば、０．３秒間隔での洗浄水の流量の増減が３ターン繰り返されるパターン（１）の小洗浄モードが行なわれ、その１．８秒後に０．４秒間隔での洗浄水の流量の増減が３ターン繰り返されるパターン（２）の小洗浄モードに移行し、その２．４秒後に０．５秒間隔での先浄水の流量の増減が３ターン繰り返されるパターン（３）の小洗浄モードに移行し、その３．０秒後に再びパターン（２）の小洗浄モードに移行する。その後は、パターン（１）→（２）→（３）→（２）を１サイクルとして、このサイクルを順次繰り返す。
【特許文献１】特開２００３−１６０９６４号公報
【発明の開示】
【発明が解決しようとする課題】
【０００３】
特開２００３−１６０９６４号公報の温水洗浄装置にあっては、パルス的に短い時間間隔で洗浄水の噴出水量を変化させたり、あるいは洗浄水の噴出をＯＮ／ＯＦＦするパルス洗浄の時間間隔を自動的に変化させることで、洗浄水の噴出水量の変化の時間間隔が一定で単調な刺激ではなく時間間隔が変化して適度にゆらいだ刺激を使用者に与えることができるが、変化のパターンが少ない。
【０００４】
本発明は、洗浄水の噴出の強弱の変化パターンを著しく多種多様なものとすることができ、また、音楽のリズム等を臀部への刺激を通して体感しうる温水洗浄装置を提供することを目的とする。
【課題を解決するための手段】
【０００５】
本発明（請求項１）の温水洗浄装置は、洗浄ノズルから温水を噴出して人体の局部を洗浄する温水洗浄装置において、音楽を出力する音楽出力手段と、音楽出力手段からの音楽の出力レベルを検出する出力レベル検出手段と、洗浄ノズルからの洗浄水の噴出強さを調整する洗浄強さ調整手段とを有しており、出力レベル検出手段によって検出された出力レベルに合わせて洗浄ノズルからの洗浄水の噴出強さを調整する音楽洗浄モードを備えたことを特徴とするものである。
【０００６】
請求項２の温水洗浄装置は、前記音楽洗浄モードと通常洗浄モードとの切替手段を備えているものである。
【発明の効果】
【０００７】
本発明の温水洗浄装置は、音楽の出力レベルに合わせて洗浄ノズルからの洗浄水の洗浄強さが変化するため、この変化パターンが著しく多種多様なものとなる。また、音楽のリズム等を臀部への刺激を通して体感することができる。
【発明を実施するための最良の形態】
【０００８】
以下、図面を参照して実施の形態について説明する。図１は実施の形態に係る温水洗浄装置を備えたトイレルーム内の斜視図、図２は操作部の正面図、図３は温水洗浄装置の構成図である。
【０００９】
洋風便器１０の後部上面にロータンク１１が設置され、このロータンク１１の前面側に便座ボックス１２が設置されている。この便座ボックス１２は、洋風便器１０の側方に張り出す張出部１３を有している。
【００１０】
張出部１３内には音響装置３０が設けられており、その音楽出力手段（この実施の形態ではスピーカ）３０ａが張出部１３に設けられている。またこの張出部１３の上面に操作部１４が設けられている。
【００１１】
図２の通り、操作部１４には、停止スイッチ１４ａ、肛門通常洗浄用操作スイッチ１４ｂ、肛門音楽洗浄用操作スイッチ１４ｃ、ビデ洗浄用操作スイッチ１４ｄ、温風を吹き出させるドライスイッチ１４ｅ、洗浄強さ調整摘み１４ｆ及び音量調整摘み１４ｇが設けられている。
【００１２】
便座ボックス１２には、おしり洗浄ノズル１５及びビデ洗浄ノズル１６の他に、洗浄ノズル切替弁２１（図３参照）、温水タンク（図示略）、温水タンクから洗浄ノズル１５，１６に温水を供給するためのポンプ（図３参照）、温風乾燥ファン（図示略）等が設けられている。また、この便座ボックス１２には、暖房便座１７、便蓋１８が上下方向に回動可能に取り付けられている。
【００１３】
図３の通り、温水洗浄装置は、音響装置３０、操作部１４、制御部２０、洗浄ノズル切替弁２１、おしり洗浄ノズル１５、ビデ洗浄ノズル１６及びポンプ２２から構成されている。音響装置３０は、音源手段３０ｓと、音楽出力手段（スピーカ）３０ａと、この音楽出力手段３０ａからの出力レベルを検出する出力レベル検出手段３０ｂからなっている。操作部１４、制御部２０、洗浄ノズル１５，１６及びポンプ２２によって洗浄強さ調整手段が構成されている。
【００１４】
なお、音源手段３０ｓは特に限定されるものではなく、ＣＤ再生装置、ＭＤ再生装置、カセットテープ再生装置の他、ラジオやテレビであってもよい。音楽出力手段３０ａはヘッドホン等であってもよい。
【００１５】
出力レベル検出手段３０ｂとしては、音量の大小を出力レベルとして検出するものであってもよく、音の高低を出力レベルとして検出するものであってもよい。また、この出力レベル検出手段３０ｂは音楽出力手段（スピーカ）３０ａから発生した音を検出するものであってもよいが、スピーカに送信される電気信号を検出したり、音源手段３０ｓに設定されている出力レベル（例えば可変抵抗よりなるボリュームの抵抗値など）を検出したり、ＣＤ、ＭＤ、カセットテープ等自体に録音されている音の大きさを検出したりする方が簡便である。
【００１６】
このように構成された温水洗浄装置において、用便後に使用者が操作部１４の肛門音楽洗浄用操作スイッチ１４ｂを操作すると、該スイッチ１４ｂからの信号が操作部１４から制御部２０に送信されると共に、洗浄強さ調整摘み１４ｆからの平均洗浄強さ信号及び音量調整摘み１４ｇからの音量信号も制御部２０に送信される。
【００１７】
これらの信号を受信した制御部２０は、洗浄ノズル切替弁２１に切替信号を送信しておしり洗浄ノズル１５に温水が流れるように洗浄ノズル切替弁２１を切り替える。また、制御部２０は、平均洗浄強さ信号をポンプ２２に送信して、ポンプ２２を該洗浄強さ信号に対応する平均回転数で回転作動させる。さらに、制御部２０は、音響装置３０内の音源手段３０ｓに音量指示信号を送信する。音源手段３０ｓは、この音量指示信号に従って出力増幅回路の増幅率を切り替える。この音源手段３０ｓからの信号により、音楽出力手段３０ａが作動して音楽の音源が発生する。
【００１８】
音楽出力手段３０ａに出力された出力レベルは、音響装置３０内の出力レベル検出手段３０ｂによって連続的に検出される。この検出された出力レベルは、出力レベル信号として制御部２０に連続的に送信される。
【００１９】
出力レベル信号を受信した制御部２０は、この出力レベル信号を洗浄強さ信号に変換してポンプ２２に送信し、ポンプ２２の回転数を変化させる。このポンプ２２の回転数の変化に対応して、おしり洗浄ノズル１５からの洗浄水の噴出強さが変化する。
【００２０】
なお、制御部２０において、出力レベル検出手段からの出力レベル信号を洗浄強さ信号に変換する場合、音量の相対的変化に基づいて洗浄強さ信号を変化させてもよく、音量の絶対値（即ち、出力レベル信号の大きさ）に基づいて洗浄強さ信号の強さを設定してもよい。音量の相対的変化に従って洗浄強さ信号を設定する場合にあっては、使用者は聞こえてくる音楽の大きさと平均的な洗浄強さとを独立して調整することができる。このため、例えば、小音量で音楽を聞きたいが洗浄強さは強いものとしたり、逆に大音量で音楽を聞きたいが洗浄強さは弱いものとしたい場合に便利である。音量の絶対値に従って洗浄強さ信号を設定する場合にあっては、使用者は、聞こえてくる音楽の大きさに対応する洗浄強さを体感することができる。
【００２１】
なお、平均洗浄強さを変化させたい場合は、洗浄強さ調整摘み１４ｆを操作する。そうすると、該摘み１４ｆからの洗浄強さ信号が制御部２０に送信され、制御部２０が平均洗浄強さ信号をポンプ２２に送信して、ポンプ２２の平均回転数を変化させる。
【００２２】
また、音楽の音量を変化させたい場合は、音量調整摘み１４ｇを操作する。そうすると、該摘み１４ｇからの音量信号が制御部２０に送信され、該制御部２０が音響装置３０内の音源手段３０ｓに音量指示信号を送信し、該音量指示信号に対応する増幅率に切り替えられる。
【００２３】
操作部１４の停止スイッチ１４ａを操作すると、停止信号が制御部２０に送信され、制御部２０がポンプ２２に停止信号を送信してポンプ２２を停止させると共に、制御部２０が音響装置３０に出力停止信号を送信して音楽の出力を停止させる。
【００２４】
使用者が操作部１４の肛門通常洗浄用操作スイッチ１４ａ又はビデ洗浄用操作スイッチ１４ｄを操作すると、操作信号が操作部１４から制御部２０に送信される。また、洗浄強さ調整摘み１４ｆからの洗浄強さ信号も制御部２０に送信される。
【００２５】
これらの信号を受信した制御部２０は、洗浄ノズル切替弁２１に切替信号を送信しておしり洗浄ノズル１５（肛門通常洗浄用操作スイッチ１４ａを操作した場合）又はビデ洗浄ノズル１６（ビデ洗浄用操作スイッチ１４ｄを操作した場合）に温水が流れるように洗浄ノズル切替弁２１を切り替える。また、制御部２０は、洗浄強さ信号をポンプ２２に送信し、ポンプ２２を洗浄強さ信号に対応する回転数で回転させる。
【００２６】
洗浄強さ調整摘み１４ｆを操作すると、洗浄強さ信号が制御部２０に再度送信され、制御部２０がこの洗浄強さ信号をポンプ２２に送信して、ポンプ２２の回転数を洗浄強さ信号に対応する回転数に変化させる。
【００２７】
操作部１４の停止スイッチ１４ａを操作すると、停止信号が制御部２０に送信され、制御部２０がポンプ２２に停止信号を送信してポンプ２２を停止させる。
【００２８】
本実施の形態に係る温水洗浄装置にあっては、肛門音楽洗浄用操作スイッチを操作して音楽洗浄モードを選択すると、音楽に合わせておしり洗浄ノズル１５から噴出する洗浄水による洗浄強さが自動的に変化するため、洗浄水の噴出の強弱の変化パターンが著しく多種多様なものとなる。また、音楽のリズムやメロディー等を臀部への刺激として体感することができる。さらに、音楽に合わせたマッサージ効果が得られ、使用者をリラックスさせることができる。肛門通常洗浄用操作スイッチを操作して一定の温洗浄強さでのストレート洗浄を行う通常洗浄モードを選択することも可能であり、好みに応じて音楽洗浄モードと通常洗浄モードとを使い分けることができる。
【００２９】
上記実施の形態は本発明の一例であり、本発明は上記実施の形態に限定されるものではない。例えば、上記実施の形態では肛門音楽洗浄用操作スイッチを操作することにより音楽出力手段が作動する構成となっているが、音響装置３０専用のスイッチを設け、洗浄ノズル１５の非使用時にも音楽を聴くことができるようにしてもよい。また、肛門洗浄用操作スイッチによって肛門洗浄のオン・オフを行い、これとは別のモード切替スイッチによって通常洗浄モードと音楽洗浄モードとを切り替えるようにしてもよい。本発明では、ビデ洗浄用操作スイッチを操作したときにも音楽出力レベルに合わせて洗浄強さが変化するようにしてもよい。
【図面の簡単な説明】
【００３０】
【図１】実施の形態に係る温水洗浄装置を備えたトイレルーム内の斜視図である。
【図２】操作部の正面図である。
【図３】温水洗浄装置の構成図である。
【符号の説明】
【００３１】
１２  便座ボックス
１３  張出部
１４  操作部
１４ａ  停止スイッチ
１４ｂ  肛門通常洗浄用操作スイッチ
１４ｃ  肛門音楽洗浄用操作スイッチ
１４ｄ  肛門ビデ洗浄用操作スイッチ
１４ｅ  ドライスイッチ
１４ｆ  洗浄強さ調整摘み
１４ｇ  音量調整摘み
１５  おしり洗浄ノズル
１６  ビデ洗浄ノズル
２０  制御部
２１  洗浄ノズル切替弁
２２  ポンプ
３０  音響装置
３０ａ  音楽出力手段
３０ｂ  出力レベル検出手段
【図１】
2005171680.tif 000003
【図２】
2005171680.tif 000004
【図３】
2005171680.tif 000005